(57)【要約】【課題】  高い剛性、簡素な構成等の利点を維持しつつも、負圧に対する強度をさらに高めることができる屋根板取付け金具の提供。【解決手段】  下地材１２の上に固定される固定部材1５と、該固定部材１５上に取付けられる断熱部材１６と、該断熱部材１６上に上記固定金具１５とは非接触の状態で取付けられる吊子１７とを有し、上記断熱部材１６には、摺動溝２６を形成して上記吊子１７を屋根板１３ａの長さ方向に摺動可能に保持するとともに、上記吊子１７には、左右方向に突出して吊子１７が上へ抜けるのを防止する抜け止め片３４，３５を設けた屋根板取付け金具１１であって、上記抜け止め片３４，３５を、複数設けるとともに、これら抜け止め片を、上下方向に分けて配設した屋根板取付け金具１１。【選択図】    図２
2006016904.tif 000002
【特許請求の範囲】
【請求項１】
下地材の上に固定される固定部材と、該固定部材上に取付けられる断熱部材と、該断熱部材上に上記固定金具とは非接触の状態で取付けられる吊子とを有し、上記断熱部材には、摺動溝を形成して上記吊子を屋根板の長さ方向に摺動可能に保持するとともに、上記吊子には、左右方向に突出して吊子が上へ抜けるのを防止する抜け止め片を設けた屋根板取付け金具であって、
上記抜け止め片を、複数設けるとともに、これら抜け止め片を、上下方向に分けて配設した
屋根板取付け金具。
【請求項２】
前記抜け止め片を、吊子の下端位置と、上下方向の中間位置とに設け、
吊子の下端位置に設ける抜け止め片を、吊子上端の係止縁の先端と同一方向に設定し、上下方向の中間位置に設ける抜け止め片を、下端位置の抜け止め片とは反対向きに設定した
請求項１に記載の屋根板取付け金具。
【請求項３】
前記抜け止め片のうちの少なくとも２つの抜け止め片を、同一方向に向けた
請求項１に記載の屋根板取付け金具。
【請求項４】
前記断熱部材の摺動溝に、左右方向に突出する突レール部を形成し、
上記吊子には、上下に配設された２つの抜け止め片と、これらを連結する垂直片とからなり、上記突レール部上を摺動する摺動部を設けた
請求項１に記載の屋根板取付け金具。
【請求項５】
前記各抜け止め片が、１枚の金属板を折曲して一体に形成されたものである
請求項１から請求項４のうちのいずれか一項に記載の屋根板取付け金具。
【請求項６】
前記抜け止め片が、吊子の長さ方向の全体にわたって形成されている
請求項１から請求項５のうちのいずれか一項に記載の屋根板取付け金具。
【請求項７】
前記請求項１から請求項６のうちのいずれか一項に記載の屋根板取付け金具を用いた
屋根構造。
【発明の詳細な説明】
【技術分野】
【０００１】
この発明は、金属製の屋根板を、梁材や下葺屋根などの下地材上に取付けるための屋根板取付け金具に関し、より詳しくは、熱による屋根板の伸縮で起こる音鳴り現象を防止できるような屋根板取付け金具に関する。
【背景技術】
【０００２】
上述のように音鳴り現象を防止する屋根板取付け金具として、下記特許文献１の屋根板支持具を提案した。
【０００３】
この屋根板支持具は、下地材の上に固定する固定部材と、該固定部材の上部に取付けられる断熱部材と、該断熱部材に取付けられる係止部材とを有し、固定部際を金属で形成するとともに、断熱部材に、係止部材が屋根板の長さ方向に摺動可能な摺動溝を形成し、該摺動溝またはその近傍に、係止部材が上方へ抜けるのを防止する抜け止め構造を設けたもので、抜け止め構造は、断熱部材を貫通するボルトと係止部材に設けた長孔や、断熱部材に形成した左右方向に凹む抜け止め溝部と該抜け止め溝部内を摺動する抜け止め凸条で構成される。
【０００４】
この屋根板支持具によれば、固定部材を金属で形成したので、きつく締め付けた時でも、合成樹脂で形成した場合とは異なり、割れなどが容易には生じず、屋根板支持具自体に高い剛性を持たせることができる。また、固定部材と断熱部材と係止部材との３つの部材で構成するので、構成が簡素であって、コストを抑えることができる等の利点を有する。
【０００５】
ところで、屋根板には、台風のときなどに思いもしないきわめて大きい負圧が掛かることがある。このような場合に備えて、正圧に対してはもちろんのことであるが、不測の負圧に対しても確実に対抗し得る強度を得られるようにすることが望まれる。
【０００６】
【特許文献１】特開２００４−２７４８２号公報
【発明の開示】
【発明が解決しようとする課題】
【０００７】
そこでこの発明は、高い剛性、簡素な構成等の利点を維持しつつも、負圧に対する強度をさらに高めることができるような、屋根板取付け金具の提供を主たる目的とする。
【課題を解決するための手段】
【０００８】
そのための手段は、下地材の上に固定される固定部材と、該固定部材上に取付けられる断熱部材と、該断熱部材上に上記固定金具とは非接触の状態で取付けられる吊子とを有し、上記断熱部材には、摺動溝を形成して上記吊子を屋根板の長さ方向に摺動可能に保持するとともに、上記吊子には、左右方向に突出して吊子が上へ抜けるのを防止する抜け止め片を設けた屋根板取付け金具であって、上記抜け止め片を、複数設けるとともに、これら抜け止め片を、上下方向に分けて配設した屋根板取付け金具であることを特徴とする。
【０００９】
すなわち、固定部材を下地材上に固定したのち、固定部材に取付けられた断熱部材上の吊子に屋根板を固定すると、屋根板の伸縮にしたがって、吊子は断熱部材の摺動溝を摺動する。そして、吊子における上下方向に分けて配設された複数の抜け止め片は、負圧作用時には、上下方向、つまり抜け方向において、それぞれ吊子の抜け止めをする。また、負荷が作用した時には、各抜け止め片がそれぞれ負荷を支えるので、負荷を分散し、吊子の一部分のみに過大な荷重が掛かることを防止する。
【００１０】
さらに、各抜け止め片によって断熱部材の摺動溝に対して抜け止め可能に取付けられた吊子は、各抜け止め片部分で屋根板の伸縮に伴って摺動動作をするが、上記各抜け止め片は、上下方向に分けて複数配設されているので、吊子の姿勢は、外力によっていたずらに傾くことなく安定し、各抜け止め片によって定められた軌道を確保するため、上記摺動動作は円滑に行われる。
【００１１】
上記抜け止め片は、吊子の下端位置と、上下方向の中間位置とに設け、吊子の下端位置に設ける抜け止め片を、吊子上端の係止縁の先端と同一方向に設定し、上下方向の中間位置に設ける抜け止め片を、下端位置の抜け止め片とは反対向きに設定するとよい。このとき、上記下端位置の抜け止め片については、先端側が上へ向いて傾斜するものであるとよい。
【００１２】
すなわち、負圧が掛かったとき、吊子には、その先端が引き伸ばされるような力が働く。つまり、吊子に対しては、鉛直上向きではなく、若干傾いた力が働くので、引っ張られた時には下端位置の抜け止め片部分に対し、中間位置の抜け止め片よりも傾いた負荷が掛かる。このとき吊子上端の係止縁の先端と同一方向に向けた抜け止め片が積極的に引っかかるようになって抜け止め防止作用をし、下端位置抜け止め片とは反対側に向けた中間位置の抜け止め片が、吊子が傾けられるのを抑制しつつ上への抜けを防止する。
【００１３】
上記抜け止め片のうちの少なくとも２つの抜け止め片を、同一方向に向けるもよい。
【００１４】
各抜け止め片での複数段階の抜け止めができるとともに、２つの抜け止め片が断熱部材の一部を上下に挟むように位置するので、吊子の上下方向での位置が積極的に規制され、定められた軌道を確保することになり、吊子の安定性は良好で、吊子の摺動動作が円滑になる。
【００１５】
上記断熱部材の摺動溝に、左右方向に突出する突レール部を形成し、上記吊子には、上下に配設された２つの抜け止め片と、これらを連結する垂直片とからなり、上記突レール部上を摺動する摺動部を設けるもよい。
【００１６】
断熱部材の一部に形成された突レール部上を吊子の摺動部が、上下方向の位置を積極的に規制されながら定められた軌道を摺動するので、吊子の安定性は良好で、摺動動作は円滑である。また、摺動部を構成する２つの抜け止め片が複数段階での抜け止めをするので、負圧に対する強度も高い。
【００１７】
上記各抜け止め片は、１枚の金属板を折曲して一体に形成されたものであるとよい。
【００１８】
各抜け止め片は一体であるので、いずれかひとつの抜け止め片に掛かった負荷は、他の抜け止め片にも分散されやすく、抜け止め片相互の関係も一定の状態を強力に保持できる。このため、各抜け止め片の相乗効果で、抜けが良好に防止される。
【００１９】
上記抜け止め片は、吊子の長さ方向の全体にわたって形成するとよい。
【００２０】
摺動に際して、抜け止め片の端部が断熱部材の摺動溝に接触することはないので、例えば抜け止め片を長さ方向の一部に形成して、断熱部材内に形成した溝内を摺動するようにした場合に比して、円滑な摺動が期待できる。
【００２１】
別の手段は、屋根板取付け金具を用いた屋根構造であることを特徴とする。
【発明の効果】
【００２２】
以上のように、この発明の屋根板取付け金具によれば、抜け止め片を複設けているとともに、それら抜け止め片を上下方向に分けて配設しているので、複数段階で抜け止めできるとともに、吊子に掛かる荷重を分散することがきる。このため、負圧に対して高い強度を有する屋根板取付け金具を得ることができる。
【００２３】
また、抜け止め片を上下方向に分けて複数設けたので、各抜け止め片の多元的な配置で定められる一定の軌道を吊子が摺動する。このため、吊子の安定性は良好で、円滑な摺動動作が得られる。このため、屋根板の伸縮に柔軟に追従することができ、音鳴り防止効果をより確実にすることができる。  
しかも、固定部材と断熱部材と吊子とからなり、簡素な構成であるという利点を有する。
【００２４】
このような屋根板取付け金具を用いた屋根は、強度、特に負圧に対する強度が高い。しかも、吊子の摺動動作が円滑であるので、屋根板の伸縮に柔軟に対応した摺動動作が可能で、音鳴り防止効果を確実に得られる、理想的な屋根である。
【発明を実施するための最良の形態】
【００２５】
この発明を実施するための一形態を、以下図面を用いて説明する。  
図１は、屋根板取付け金具１１（以下、取付け金具という）の斜視図であり、この取付け金具１１は、図２に示したように下地材としての下葺屋根１２の上に固定され、上葺屋根１３を構成する屋根板１３ａの固定に用いられる。図２中１４は、グラスウール等からなる断熱材である。
【００２６】
そして取付け金具１１は、下から順に、金属製の固定部材１５と、合成樹脂製の断熱部材１６と、金属製の吊子１７とからなり、上に位置して上記屋根板１３ａを固定する吊子１７は、図３に示したように、矢印方向（屋根板１３ａの長さ方向）に沿って摺動可能な状態に取付けられる。つまり、屋根板１３ａが熱により伸縮した時に、その伸縮に伴って摺動し、屋根板１３ａにたまる歪を速やかに除去し、屋根の音鳴りを防止する。
【００２７】
このような取付け金具１１は、次のように構成される。  
すなわち、図４の分解斜視図に示したように、固定部材１５は、左右一対の固定部材担体１８，１８からなり、これら固定部材担体１８，１８を締め付けるボルト１９ナット２０を備える。各固定部材担体１８は、同形であり、１枚の金属板を折曲して形成される。その構造は、下から順に、下葺屋根１２の上に設置する接地片１８ａと、該接地片１８ａから延設され半円弧状をなす締め付け部１８ｂと、該締め付け部１８ｂから垂直に延設される垂直部１８ｃと、該垂直部１８ｃから外方に折曲されたのち垂直に立ち上がる断熱材取付け部１８ｄとを有するものである。
【００２８】
そして上記締め付け部１８ｂから垂直部１８ｃにかけては、補強用のリブ１８ｅを設け、垂直部１８ｃの中心には、正方形の角穴１８ｆを形成する。この角穴１８ｆは、上記ボルト１９を挿通するためのもので、根角ボルトからなるボルト１９を回り止めする。
【００２９】
また、上記断熱部材取付け部１８ｄは、上端に、外方へ折曲され、図５に示したように断熱部材１６の一部を受ける受け片１８ｇを有し、断熱部材取付け部１８ｄにおける垂直に立ち上がる部分の中央には、断熱部材１６の一部を挿嵌する丸穴１８ｈを形成している。そしてまた、上記の垂直に立ち上がる部分の両側部には、断熱部材１６の一部と係合し、断熱部材１６を抜け止めする係合凹部１８ｉを形成している。
【００３０】
上記断熱部材１６は、略直方体のブロック状で、固定部材１５の断熱部材取付け部１８ｄに保持可能な大きさに形成されている。そして、左右両側面部には、固定部材担体１８の上記丸穴１８ｈに挿嵌する短円筒状の凸部２１と、固定部材担体１８の上記係合凹部１８ｉに係合する係合凸部２２とを、外方に突出形成している。  
そして、上記凸部２１を形成した位置には、断熱部材１６を左右方向に貫通する貫通孔２３を形成し、吊子取付け用のボルト２４を保持可能にしている。
【００３１】
また、左右方向の中間位置には、断熱部材の上端面２５から形成される摺動溝２６を形成している。摺動溝２６は、断熱部材１６の下端部位置まで形成し、その先を、左右方向の所定方向（図面左側）斜め上方に向けて切り込んで、吊子１７の一部が収まる第１抜け止め溝部２６ａを設けている。また、上下方向の中間位置であって上記貫通孔２３より上方位置には、左右方向における上記第１抜け止め溝部２６ａとは反対側に水平に切り込む第２抜け止め溝部２６ｂを設けている。
【００３２】
さらに、上記第１抜け止め溝部２６ａを形成している側には、図５に示したように、上記吊子取付け用のボルト２４が螺合するナット２７を収納保持する。すなわち、ナット２７を回転不可に落とし込むナット保持穴２８を、断熱部材１６の上端面２５から形成している。
【００３３】
ナット保持穴２８の上端位置には、ナット保持穴２８の平面視形状よりも大きい固定用段部２９を形成し、この固定用段部２９に金属製の板部材３０を固定してナット保持穴２８を塞ぐ。このとき、板部材３０の上面が断熱部材１６の上端面２５位置よりも若干低くなるように設定する。板部材３０の固定は、両面接着テープや接着剤等の適宜の手段で行うとよい。
【００３４】
また、上記板部材３０と同一形状の板部材３１を、ナット保持穴２８を有する側とは反対側の上端位置にも固定している。
【００３５】
このように、ナット保持穴２８を設けてナット２７を保持し、板部材３０で塞ぐと、組立て時や施工時等に、取付け金具が逆さになってもナット２７が出てしまうことはなく、作業に当たって一切ナット２７を触らずに済むので、作業が容易である。  
なお、板部材３０，３１は、金属製でなくともよいが、金属製であると、屋根板１３ａが伸縮したときの断熱部材１６の磨耗を抑制できる。
【００３６】
上記吊子１７は、断熱部材１６の前後方向（屋根板１３ａの長さ方向）の長さよりも長い所定幅の金属板を折曲して形成したもので、上端に、略４分の３円弧状の馳部３２を設けている。
【００３７】
この馳部３２は、いわゆる丸馳で、使用状態を屋根の勾配下方から見たときに、所定の方向、すなわち図面左側に、その先端縁が位置する。この馳部３２の先端が位置する側は、上記第１抜け止め溝部２６ａの位置する側と同一である。
【００３８】
そしてこの馳部３２の下側には、上記摺動溝２６の形状に沿うように、垂下片部３３を有するとともに、上記第１抜け止め溝部２６ａ内に位置する第１抜け止め片３４と、第２抜け止め溝部２６ｂ内に位置する第２抜け止め片３５とを有する形状である。
【００３９】
具体的には、一重の馳部３２を形成した後、その下から垂下片部３３の片側を形成し、その下端から第１抜け止め片３４の上側を形成するとともに下側に折り返して二重の第１抜け止め片３４を形成する。そしてその先を、垂下片部３３の他方側を形成するべく立ち上げて、下側部分が二重になる垂下片部３３を形成し、第２抜け止め片３５形成位置において第２抜け止め片３５の上側を形成するとともに下側に折り返して第２抜け止め片２５を形成し、その先を、二重になった垂下片部３３に沿わせる。このようにして二重、あるいは三重に重合された部分は、スポット溶接やリベット等の適宜手段で重合状態を保持するとよい。
【００４０】
このように、２つの抜け止め片３４，３５を上下方向に分けて配設している。
【００４１】
上記垂下片部３３の上下方向の中間部分には、上記吊子取付け用のボルト２４を挿通する長孔３６を形成している。この長孔３６の長さが、吊子１７の摺動範囲を決めることになる。
【００４２】
長孔３６の内周面には、図６（ａ）にも示したように、長孔３６内に嵌合する長円形状の緩衝材３７を保持する。緩衝材３７は、合成樹脂製で、吊子１７の長孔３６とボルト２４との間に介在できればその形態は問わない。このような緩衝材３７を取付けることによって、吊子１７がその摺動の限界位置まで摺動した時でも、また、負圧が作用して吊子１７が引き上げられた時でも、衝突音の発生を抑制できる。  
この緩衝材３７は、図６（ｂ）に示したように、相互に嵌合する左右一対の部材３７ａ，３７ａからなり、鍔部３７ｂを有するものであるもよい。
【００４３】
このように構成した取付け金具１１は、つぎのように使用する。  
まず、固定部材１５と断熱部材１６と吊子１７が一体となった取付け金具１１の固定部材を、下葺屋根１２の上に固定する。そして、断熱材１４を敷き込んでから、取付け金具１１の吊子１７に対して、屋根板１３ａを係止する。
【００４４】
このようにして屋根板１３ａを取付けて形成した屋根では、正圧が作用すると、吊子１７と断熱部材１６の上端面２５とで、その荷重を支える。また、負圧が作用した時には、吊子１７における上下方向に分けて配設された２つの抜け止め片３４，３５が、上下方向、つまり抜け方向において、それぞれ吊子１７の抜け止めをする。このとき、各抜け止め片３４，３５がそれぞれ負荷を支えるので、負荷を分散し、吊子１７の一部分のみに過大な荷重が掛かることを防止する。
【００４５】
このため、少なくとも二段階で抜け止めできるとともに、吊子１７に掛かる荷重を良好に分散することがきて、特に負圧に対して高い強度を得ることができる。
【００４６】
特に、各抜け止め片３４，３５は、吊子１７の下端位置と、上下方向の中間位置とに設け、吊子１７の下端位置に設けた第１抜け止め片３４を、吊子１７上端の馳部３３の先端と同一方向に向けて、しかも、先端を上に傾けて形成し、上下方向の中間位置に設ける第２抜け止め片３５を、第１抜け止め片３４とは反対向きに形成しているので、吊子１７が上へ引っ張られた時には、若干傾いた力が働き、第１抜け止め片３４には第１抜け止め溝部２６ａに積極的に引っかかるようになって抜け止めがなされ、このとき第２抜け止め片３５は、吊子１７が傾けられるのを抑制しつつ上への抜けを防止する。このため、効果的に抜け止めがなされる。
【００４７】
しかも、各抜け止め片３４，３５は、１枚の金属板を折曲して一体に形成されたものであるので、各抜け止め片３４，３５は一体であって、いずれかひとつの抜け止め片３４，３５に掛かった負荷は、他の抜け止め片３５，３４にも分散されやすく、抜け止め片３４，３５相互の関係も一定の状態を強力に保持できる。このため、上下方向に分散配置した各抜け止め片３４，３５の相乗効果で、抜けが良好に防止される。
【００４８】
さらに、吊子１７の長孔３６の径をボルト２４の径よりも大きく設定すると、負圧が作用して吊子１７が上へ引っ張られても、各抜け止め片３４，３５が抜け止めをするので、長孔３６がボルト２４に当たるまでには余裕が生まれ、長孔３６がボルト２４に当たることによって発生することが考えられる変形を阻止して、摺動動作が可能な状態を保持することができる。すなわち、強い負圧が何度か作用しても、音鳴り防止機能に支障はなく、耐久性を高めることができる。
【００４９】
また、上葺屋根１３の屋根板１３ａが熱によって伸縮すると、屋根板１３ａを係止してこれと一体になっている吊子１７は、屋根板１３ａの伸縮に追従して、断熱部材１６上を屋根板１３ａの長さ方向に沿って摺動する。このとき、吊子１７は、各抜け止め片３４，３５によって断熱部材１６の摺動溝２６に対して抜け止め可能に取付けられているので、各抜け止め片３４，３５部分で屋根板１３ａの伸縮に伴って摺動動作をするが、上記各抜け止め片３４，３５は、上下方向に分けて複数配設されている。このため、吊子１７の姿勢は、外力によっていたずらに傾くことなく安定し、各抜け止め片３４，３５の多元的な配置によって定められた軌道を確保するため、上記摺動動作は円滑に行われる。
【００５０】
しかも、抜け止め片３４，３５は、吊子１７の長さ方向の全体にわたって形成されているので、摺動に際して、抜け止め片３４，３５の端部が断熱部材１６の摺動溝２６に接触することはないので、余分な抵抗をなくすことができて、より円滑な摺動が期待できる。
【００５１】
この結果、屋根板１３ａの伸縮に柔軟に追従することができ、音鳴り防止効果をより確実にすることができる。
【００５２】
さらに、この取付け金具１１は、固定部材１５と断熱部材１６と吊子１７とからなり、簡素な構成であるので、組立てや部品管理、コストの低減等の利点を得ることができる。
【００５３】
以上のように取付け金具１１は顕著な効果を達成するので、このような取付け金具１１を用いて形成した屋根は、強度、特に負圧に対する強度が高い。そのうえ、吊子１７の摺動動作が円滑であるので、屋根板１３ａの伸縮に柔軟に対応した摺動動作が可能で、音鳴り防止効果を確実に得られる、理想的な屋根となる。
【００５４】
次に、他の形態にについて説明する。なお、上述の構成と同一又は類似の部位については、同一の符号を付して、その詳しい説明を省略する。
【００５５】
図７は、下葺屋根１２も上葺屋根１３も角馳である場合の取付け金具１１である。  
角馳は、上述例のように馳部３２が円弧状ではなく、先端側が水平に曲がったのち下側に鋭角に曲がる、三角状をなす。この取付け金具１１では、吊子１７の馳部３２と固定金具１５以外は同一構造である。
【００５６】
固定金具１５は、４つの固定金具担体４１，４２，４３，４４からなり、第１固定金具担体４１と第２固定金具担体４２は、上述の固定金具担体１８と同様で、下端に接地片１８ａを有し、上端に断熱部材取付け部１８ｄを有している。これらは同一形状ではなく、図面左側（馳部３２の先端側が位置する側）の第１固定部材担体４２には、馳部３２の存在を許容する逆段部をＬ字状の段部４１ａを設け、これに対向する側の第２固定部材担体４２には、垂直部１８ｃから真っ直ぐに垂れる垂直面部４２ａを形成している。そして、これらの間には、馳部を掴むように略つ字状に折曲した掴み部４３ａを下端に有した第３固定部材担体４３を設け、第２固定部材担体４２の外側（反第３固定部材担体４３側）には、Ｌ字状に折り曲げ形成された爪部を下端に設けた第４固定部材担体４４を設けて、これら４つの固定部材担体４１，４２，４３，４４をボルト１９ナット２０で締め付けて固定する。上記爪部４４ａは、第２固定部材担体の垂直面部４２ａに設けた透孔４２ｂを介して第１固定部材担体４１及び第３固定部材担体４３側に突出して、下葺屋根１２の馳部を締め付ける。
【００５７】
図８は、下葺屋根１２が丸馳でも角馳でも固定可能な取付け金具１１を示す。すなわち、この取付け金具１１では、図１に示した取付け金具１１と同様に、固定部材１５は、同一形状の左右一対の固定部材担体４５，４５からなるが、各固定部材担体４５の締め付け部４５ｂを、垂直部４５ｃの下端から略４分の３円弧状に形成して、その先を、斜め下方に向けて延設し、外側から内側にかけて接地片４５ａを延設して構成する。  
取付ける吊子１７は、角馳であるもよい。
【００５８】
図９は、吊子１７を断熱部材１６に取付けるのにボルトを用いない取付け金具１１を示し、この取付け金具１１は、図１０に示したように、断熱部材１６の摺動溝２６に吊子１７を差し込むだけで取付けを行い、摺動範囲を規制するものである。
【００５９】
すなわち、吊子１７は、垂直片部３３の長さ方向の一端部に、折り曲げ形成したストッパ片４６を設け、他端部に、一側面がわに打ち出し形成した横断面三角形状の抜け止め凸部４７を設けている。該抜け止め凸部４７部位の厚みを断熱部材１６の摺動溝２６の幅よりも若干厚く設定し、この抜け止め凸部４７側から一度差し込むと、抜けないような寸法に設定している。  
その他の部位については、図１から図５に示した取付け金具１１と同一である。
【００６０】
抜け止め凸部４７に代えて、図１１に示したように、切り起しからなる抜け止め片４８を設けるもよい。また、ストッパ片４６に代えて、吊子１７を構成する金属板の重合状態を保持するリベット４９を、ストッパと兼用するもよい。
【００６１】
さらに、上記ストッパ片４６同士、抜け止め凸部４７同士、又はリベット４９同士を吊子１７の両端部に形成するも、あるいはこれらを適宜組み合わせるもよい。さらにまた、上記摺動溝２６の両端部を、相対する面を対称的に傾斜させて、端部側ほど幅広に形成し、吊子１７を差し込みやすくするもよい。
【００６２】
図１２は、吊子１７形態の他の例を示し、図１２（ａ）に示したように、第１抜け止め片３４を上述例とは反対側、すなわち、第２抜け止め片３５と同一方向に形成するもよい。換言すれば、上記断熱部材１６の摺動溝２６に、左右方向に突出するコ字状の突レール部５０（図中には、斜めの平行線を付す。以下同じ）を形成し、上記吊子１７には、上下に配設された２つの抜け止め片３４，３５と、これらを連結する垂直部５１ａとからなり、上記突レール部５０上を摺動する摺動部５１を設けた構成である。
【００６３】
このように構成しても、各抜け止め片３４，３５で少なくとも二段階の抜け止めができるとともに、２つの抜け止め片３４，３５が断熱部材１６の一部を上下に挟むように位置するので、吊子１７の上下方向での位置が積極的に規制され、定められた軌道を確保することになり、吊子１７の安定性は良好で、吊子１７の摺動動作は円滑である。
【００６４】
図１２（ｂ）は、３つの抜け止め片５２，５３，５４を形成し、上記のように断熱部材１６の摺動溝２６に、左右方向に突出する突レール部５０を形成し、上記吊子１７には、上下に配設された２つの抜け止め片５２，５３と、これらを連結する垂直部５１ａとからなり、上記突レール部５０上を摺動する摺動部５１を設けた例である。
【００６５】
すなわち、馳部３２の下に垂らした垂下片部３３の一部から左右方向の一方に延設した第１抜け止め片５２と、該第１抜け止め片５２から垂設した垂直部５１ａと、この垂直部５１ａの下端から左右方向の他方に延設した第２抜け止め片５３と、該第２抜け止め片５３の先端から若干下に段違い部５５を設けて、この先を斜め上方に向けて延設した第３抜け止め片５４とを有する。
【００６６】
図１２（ｃ）も、３つの抜け止め片５６，５７，５８を形成し、上記のように断熱部材１６の摺動溝２６に、左右方向に突出する突レール部５０を形成し、上記吊子１７には、上下に配設された２つの抜け止め片５６，５７と、これらを連結する垂直部５１ａとからなり、上記突レール部５０上を摺動する摺動部５１を設けた例である。
【００６７】
図１２（ｄ）は、４つの抜け止め片５９，６０，６１，６２を形成し、上記のように断熱部材１６の摺動溝２６に、左右方向に突出する突レール部５０を形成し、上記吊子１７には、上下に配設された２組の抜け止め片５９及び６１，６０及び６２と、これらを連結する垂直片５１ａとからなり、上記突レール部５０上を摺動する摺動部５１を設けた例である。
【００６８】
そしてこの場合には、各抜け止め片５９，６０，６１，６２は、同一の金属板で一体に形成されるものの、吊子１７は２枚の金属板を組み合わせて構成する。すなわち、図１３に示したように、１枚の金属板（第１吊子担体１７ａ）は、馳部３２を有し、この馳部３２の下端から垂下片部６３を延設し、この下側部分を、前後方向に二分して、それぞれ左右異方向に折曲して、水平片部６４，６４を形成する。
【００６９】
他の金属板（第２吊子担体１７ｂ）は、第１吊子担体１７ａの中間部より下側を被覆しつつ、上記各抜け止め片５９，６０，６１，６２を形成するもので、上記水平片部６４を包み込むようにして下端位置の２つの抜け止め片６１，６２を形成し、その先を垂下片部６３に沿って立ち上げて、その先を、外側に折曲したのち下側に折り返し、二重構造の２つの抜け止め片５９，６０を形成し、先端縁を重合状態で垂下させる。
【００７０】
各吊子担体１７ａ，１７ｂは、図１３に仮想線で示したように、リベット６５やスポット溶接、ストッパをかねたリベット等の適宜手段で一体化する。
【００７１】
なお、この発明の構成と、上記一形態の構成との対応において、
この発明の下地材は、上記一形態の下葺屋根１２に対応し、  
以下同様に、
抜け止め片は、第１抜け止め片３４，５２、第２抜け止め片３５，５３、第３抜け止め片５４に対応し、  
摺動部の垂直片は、垂直部５１ａに対応するも、  
この発明は、上記一形態の構成のみに限定されるものではなく、その他の形態を採用し得る。
【図面の簡単な説明】
【００７２】
【図１】屋根板取付け金具の斜視図。
【図２】屋根の断面図。
【図３】屋根板取付け金具の側面図。
【図４】屋根板取付け金具の分解斜視図。
【図５】屋根板取付け金具の縦断面図。
【図６】屋根板取付け金具の一部拡大断面図。
【図７】他の例に係る屋根板取付け金具の断面図。
【図８】他の例に係る屋根板取付け金具の断面図。
【図９】他の例に係る屋根板取付け金具の斜視図。
【図１０】図９の屋根いた取付け金具の吊子の取付け方を示す説明図。
【図１１】他の例に係る吊子の横断面図。
【図１２】他の例に係る屋根板取付け金具の要部正面図。
【図１３】図１２（ｄ）に示した吊子の斜視図。
【符号の説明】
【００７３】
１１…屋根板取付け金具
１２…下葺屋根
１３ａ…屋根板
１５…固定部材
１６…断熱部材
１７…吊子
２６…摺動溝
３４…第１抜け止め片
３５…第２抜け止め片
５０…突レール部
５１…摺動部
５１ａ…垂直部
５２…第１抜け止め片
５３…第２抜け止め片
５４…第３抜け止め片
５６，５７，５８，５９，６０，６１，６２…抜け止め片
【図１】
2006016904.tif 000003
【図２】
2006016904.tif 000004
【図３】
2006016904.tif 000005
【図４】
2006016904.tif 000006
【図５】
2006016904.tif 000007
【図６】
2006016904.tif 000008
【図７】
2006016904.tif 000009
【図８】
2006016904.tif 000010
【図９】
2006016904.tif 000011
【図１０】
2006016904.tif 000012
【図１１】
2006016904.tif 000013
【図１２】
2006016904.tif 000014
【図１３】
2006016904.tif 000015